(57)【要約】【課題】  ファンを容易に固定する【解決手段】  ファン接触部２がファンケース２４に接触し、ファン接触部２に固定面１２へ向かう圧力をかける第一与圧部４および第一与圧部４’を備える。第一与圧部４および第一与圧部４’を広げようとする力Ｆ１、Ｆ２を、第一与圧部４および第一与圧部４’によって、ファン接触部２に固定面１２へ向かう圧力Ｆに変換して、ファンを固定面２０に押しつけるだけなので、ボルトやナット、複雑なバネ構造、スナップなどを必要としない簡易な構造でファンを固定面１２に固定できる。【選択図】  図５
2006144599.tif 000002
【特許請求の範囲】
【請求項１】
ファンを固定面に固定するファン固定具であって、
前記ファンの有する羽根を前記ファンの外部に対して開放した状態で収容する羽根収容孔を横断し、前記ファンに接するファン接触部と、
前記ファン接触部に、前記固定面に向かう圧力をかける与圧部と、
を備えたファン固定具。
【請求項２】
請求項１に記載のファン固定具であって、
前記ファン接触部は、
前記ファンに接する直線状の直線状接触部分を有する、
ファン固定具。
【請求項３】
請求項２に記載のファン固定具であって、
前記ファン接触部は、
前記直線状接触部分を延長した場合よりも、前記ファンから遠ざかる遠隔部分を有し、
前記遠隔部分は前記羽根収容孔を横断する、
ファン固定具。
【請求項４】
請求項１に記載のファン固定具であって、
前記与圧部は、
前記固定面に対して固定される支点部分と、
前記ファン接触部に接続される接続部分と、
を有し、
前記支点部分が前記接続部分よりも前記固定面に近い、
ファン固定具。
【請求項５】
請求項１に記載のファン固定具であって、
第一与圧部および第二与圧部を備え、
前記第一与圧部の前記支点部分は、前記第一与圧部の前記接続部分の一点および前記第二与圧部の前記接続部分の一点を含み前記固定面と直交する面に関して、前記第二与圧部の前記支点部分と反対側に配置されている、
ファン固定具。
【請求項６】
請求項５に記載のファン固定具であって、
前記第一与圧部と前記第二与圧部との間に前記ファンが配置される、
ファン固定具。
【請求項７】
請求項６に記載のファン固定具であって、
複数の前記ファンを固定面に固定し、
前記第一与圧部と前記第二与圧部との間に複数の前記ファンが配置される、
ファン固定具。
【請求項８】
ファンを固定面に固定するファン固定具であって、
前記ファンを横断し、前記ファンに接するファン接触部と、
前記ファン接触部に、前記固定面に向かう圧力をかける第一与圧部と、
前記第一与圧部に前記ファンを挟んで向かい合い、前記ファン接触部に、前記固定面に向かう圧力をかける第二与圧部と、
を備え、
前記第一与圧部は、前記固定面に対して固定される第一支点部分と、前記ファン接触部に接続される第一接続部分と、
を有し、
前記第二与圧部は、前記固定面に対して固定される第二支点部分と、前記ファン接触部に接続される第二接続部分と、
を有し、
前記第一支点部分は、前記第一接続部分の一点および前記第二接続部分の一点を含み前記固定面と直交する面に関して、前記第二支点部分と反対側に配置されている、
ファン固定具。
【発明の詳細な説明】
【技術分野】
【０００１】
本発明は放熱および冷却等に使用するファンの筐体等への固定に関する。
【背景技術】
【０００２】
従来より、電子機器の放熱および冷却等にファンが使用されている（特許文献１〜４を参照）。ファンは電子機器に取付ける必要がある。
【０００３】
【特許文献１】特開２００２−２０６５００号公報
【特許文献２】実開平６−５６６６７号公報
【特許文献３】実開平５−７２１９３号公報
【特許文献４】実開平６−７８７２２号公報
【発明の開示】
【発明が解決しようとする課題】
【０００４】
しかしながら、上記の従来技術のようにファンを電子機器に取付ける際には、ネジ止めが必要であったり（特許文献１、２を参照）、複雑なバネ構造を必要としたり（特許文献３を参照）、スナップを必要とする（特許文献４を参照）。
【０００５】
そこで、本発明は、ファンを容易に固定することを課題とする。
【課題を解決するための手段】
【０００６】
本発明にかかるファン固定具は、ファンを固定面に固定するファン固定具であって、前記ファンの有する羽根を前記ファンの外部に対して開放した状態で収容する羽根収容孔を横断し、前記ファンに接するファン接触部と、前記ファン接触部に、前記固定面に向かう圧力をかける与圧部とを備えるように構成される。
【０００７】
上記のように構成されたファン固定具によれば、ファンを固定面に固定するファン固定具が提供される。ファン接触部は、前記ファンの有する羽根を前記ファンの外部に対して開放した状態で収容する羽根収容孔を横断し、前記ファンに接する。与圧部は、前記ファン接触部に、前記固定面に向かう圧力をかける。
【０００８】
また、本発明にかかるファン固定具は、前記ファン接触部が、前記ファンに接する直線状の直線状接触部分を有するようにしてもよい。
【０００９】
また、本発明にかかるファン固定具は、前記ファン接触部が、前記直線状接触部分を延長した場合よりも、前記ファンから遠ざかる遠隔部分を有し、前記遠隔部分は前記羽根収容孔を横断するようにしてもよい。
【００１０】
また、本発明にかかるファン固定具は、前記与圧部は、前記固定面に対して固定される支点部分と、前記ファン接触部に接続される接続部分と、を有し、前記支点部分が前記接続部分よりも前記固定面に近いようにしてもよい。
【００１１】
また、本発明にかかるファン固定具は、第一与圧部および第二与圧部を備え、前記第一与圧部の前記支点部分は、前記第一与圧部の前記接続部分の一点および前記第二与圧部の前記接続部分の一点を含み前記固定面と直交する面に関して、前記第二与圧部の前記支点部分と反対側に配置されているようにしてもよい。
【００１２】
また、本発明にかかるファン固定具は、前記第一与圧部と前記第二与圧部との間に前記ファンが配置されるようにしてもよい。
【００１３】
また、本発明にかかるファン固定具は、複数の前記ファンを固定面に固定し、前記第一与圧部と前記第二与圧部との間に複数の前記ファンが配置されるようにしてもよい。
【００１４】
本発明にかかるファン固定具は、ファンを固定面に固定するファン固定具であって、前記ファンを横断し、前記ファンに接するファン接触部と、前記ファン接触部に、前記固定面に向かう圧力をかける第一与圧部と、前記第一与圧部に前記ファンを挟んで向かい合い、前記ファン接触部に、前記固定面に向かう圧力をかける第二与圧部と、を備え、前記第一与圧部は、前記固定面に対して固定される第一支点部分と、前記ファン接触部に接続される第一接続部分と、を有し、前記第二与圧部は、前記固定面に対して固定される第二支点部分と、前記ファン接触部に接続される第二接続部分と、を有し、前記第一支点部分は、前記第一接続部分の一点および前記第二接続部分の一点を含み前記固定面と直交する面に関して、前記第二支点部分と反対側に配置されているように構成される。
【００１５】
上記のように構成されたファン固定具によれば、ファンを固定面に固定するファン固定具が提供される。
【００１６】
ファン接触部は、前記ファンを横断し、前記ファンに接する。第一与圧部は、前記ファン接触部に、前記固定面に向かう圧力をかける。第二与圧部は、前記第一与圧部に前記ファンを挟んで向かい合い、前記ファン接触部に、前記固定面に向かう圧力をかける。
【００１７】
前記第一与圧部は、前記固定面に対して固定される第一支点部分と、前記ファン接触部に接続される第一接続部分とを有する。
【００１８】
前記第二与圧部は、前記固定面に対して固定される第二支点部分と、前記ファン接触部に接続される第二接続部分とを有する。
【００１９】
前記第一支点部分は、前記第一接続部分の一点および前記第二接続部分の一点を含み前記固定面と直交する面に関して、前記第二支点部分と反対側に配置されている。
【発明を実施するための最良の形態】
【００２０】
以下、本発明の実施形態を図面を参照しながら説明する。
【００２１】
図１は、本発明の実施形態にかかるファン固定具１、外壁１０およびファン２０の斜視図である。ファン２０は、ファン固定具１により、外壁１０に固定される。なお、ファン２０の羽根２２ｂは図１においては便宜上、省略してある。
【００２２】
外壁１０は、例えば、コンピュータなどの電子機器の筐体である。しかし、外壁１０は筐体とは限らない。例えば、ファン２０を外壁１０に固定したものをユニット化して、電子機器から取り外し可能にすることも考えられる。この場合、外壁１０は、ユニットの一部ということになる。
【００２３】
外壁１０は、底面１１、固定面１２、位置決め用ガイドピン１４、ファン固定具支点用突起１６、ファン用穴１８を有する。
【００２４】
固定面１２は、ファン２０が固定される面である。位置決め用ガイドピン１４は、固定面１２におけるファン２０の位置を決めるためのピンである。位置決め用ガイドピン１４は、固定面１２の法線方向に突き出ている。ファン固定具支点用突起１６は、ファン固定具１を引っ掛けるための突起である。ファン固定具支点用突起１６には、底面１１の法線方向に向いた穴があけられており、その穴にファン固定具１を引っ掛ける。ファン用穴１８は、ファン２０により生じる風を外壁１０の外部に流すための穴である。外壁１０の内部と外部との間に風を流通させることにより、外壁１０の内部にある電子回路等の冷却あるいは放熱を行う。
【００２５】
ファン２０は、モータ部２２、羽根収容孔２３、ファンケース２４を有する。
【００２６】
図２は、ファン２０の構成を示す図である。モータ部２２は、固定面１２の法線方向の回転軸を中心として回転するモータ（図示省略）を収容する。モータには、羽根２２ｂ（図２（ｂ）参照）が取り付けられている。なお、モータ部２２の手前側（固定面１２とは反対側）にはカバー２２ａが見えている。モータが（例えば、図２(ｂ)に示す矢印方向に）回転することで、羽根２２ｂが回転し、風が外壁１０の外部へと流れていく（図２（ａ）参照）。
【００２７】
羽根収容孔２３は、羽根２２ｂをファン２０の外部に対して開放した状態で収容する孔である。本実施形態では、羽根収容孔２３は八角形の孔である（図２（ｂ）参照）。このように、羽根２２ｂがファン２０の外部に対して開放されている（より具体的には、図２（ｂ）に示すように、ファン２０の外部から羽根２２ｂが見える）ので、上述のように、風が流通できるのである。
【００２８】
ファンケース２４は、モータ部２２の外周にあるケースである。ファンケース２４の隅には、位置決め用ガイドピン１４がはまりあう位置決め用筒２４ａが設けられている。位置決め用筒２４ａは中空の円筒であり、中空の部分に位置決め用ガイドピン１４がはまりあう。なお、位置決め用ガイドピン１４に変えて、ファン２０を取付けるためのコーナー突起を用いてもよい。
【００２９】
ファン固定具１は、ファン２０を固定面１２に固定するためのものである。ファン固定具１は、ファン接触部２、第一与圧部４および第二与圧部４’を備える。
【００３０】
図３は、ファン固定具１の平面図（図３（ａ））、正面図（図３（ｂ））、側面図（図３（ｃ））である。
【００３１】
ファン接触部２は、遠隔部２ａ、直線状接触部２ｂ、屈曲部２ｃを有する。図３（ａ）を参照すると、直線状接触部２ｂは二個所ある。二個所のうちのいずれか一方の直線状接触部２ｂを延長すると、他の一方の直線状接触部２ｂに重なる。図３（ａ）を参照すると、屈曲部２ｃは同じ長さのものが二個所ある。二個所の屈曲部２ｃは互いに平行であり、それぞれが直線状接触部２ｂの端部において、直線状接触部２ｂと直交している。遠隔部２ａは、屈曲部２ｃの直線状接触部２ｂと接続していない方の端部を結ぶ直線状の部である。
【００３２】
第一与圧部４は、第一接続部分４ａ、第一支点部分４ｂを有する。第一接続部分４ａにおいて、直線状接触部２ｂの端部（屈曲部２ｃが接続されていない方）と、第一与圧部４とが接続されている。第一与圧部４は、第一接続部分４ａから、ファン接触部２の存在する面Ｍ（図３（ｃ）参照）よりも上の方に、ファン接触部２から離れて直線状に延びていく。第一与圧部４は、第一支点部分４ｂにおいてほぼ直角に折れ曲がる（図３（ｃ）参照）。ただし、正面から見れば、第一与圧部４は一直線状である（図３（ｂ）参照）。
【００３３】
第二与圧部４’は、第二接続部分４’ａ、第二支点部分４’ｂを有する。第二接続部分４’ａにおいて、直線状接触部２ｂの端部（屈曲部２ｃが接続されていない方）と、第二与圧部４’とが接続されている。第二与圧部４’は、第二接続部分４’ａから、ファン接触部２の存在する面Ｍ（図３（ｃ）参照）よりも下の方に、ファン接触部２から離れて直線状に延びていく。第二与圧部４’は、第二支点部分４’ｂにおいてほぼ直角に折れ曲がる（図３（ｃ）参照）。ただし、正面から見れば、第二与圧部４’は一直線状である（図３（ｂ）参照）。
【００３４】
第一支点部分４ｂは、面Ｍに関して、第二支点部分４’ｂとは反対側に配置されている。なお、面Ｍは、より厳密には、第一接続部分４ａのうちの一点および第二接続部分４’ａのうちの一点を含み、固定面１２と直交する面といえる。
【００３５】
次に、ファン２０をファン固定具１により外壁１０の固定面１２に固定する手順およびその際の形状を説明する。
【００３６】
まず、図１に示すように、ファン固定具１、外壁１０およびファン２０を配置する。このとき、ファン固定具１の第一与圧部４および第二与圧部４’のなす角はθoである（図３（ｃ）参照）。
【００３７】
次に、ファン２０を固定面１２に近づけていき、ファン２０の位置決め用筒２４ａを、位置決め用ガイドピン１４にはめあわせる。
【００３８】
そして、ファン固定具１の第一与圧部４の先端（第一支点部分４ｂよりも面Ｍからさらに遠ざかった部分（図３（ｃ）参照））および第二与圧部４’の先端（第二支点部分４’ｂよりも面Ｍからさらに遠ざかった部分（図３（ｃ）参照））を押圧して、第一与圧部４および第二与圧部４’のなす角をθoよりも小さくしていく。第一与圧部４および第二与圧部４’は、ファン接触部２により接続されている。よって、第一与圧部４の先端および第二与圧部４’の先端の押圧により、ファン接触部２がねじれるため、元に戻ろうとする力が発生する。
【００３９】
ファン固定具支点用突起１６には、第一与圧部４および第二与圧部４’の先端が通るような穴があけられている。ここで、第一与圧部４および第二与圧部４’の先端をファン固定具支点用突起１６の穴に通す。そして、ファン固定具１への押圧を停止する。
【００４０】
すると、ファン固定具１がファン２０を固定面１２に押しつける。ファン２０が固定面１２に押しつけられた状態の斜視図を図４に、（図１の矢印Ａ方向から見た）側面図を図５に、平面断面図を図６に示す。ただし、図６において、第一与圧部４および第二与圧部４’の先端付近は図示省略する。
【００４１】
このとき、直線状接触部２ｂがファンケース２４に接触し、遠隔部２ａが直線状接触部２ｂを延長した場合よりもファン２０から遠ざかるように羽根収容孔２３を横断して、ファン接触部２がファン２０を横断している（図４、６参照）。また、第一与圧部４および第二与圧部４’の間にファン２０が配置される（図４、６参照）。
【００４２】
ファン固定具１への押圧を停止すると、第一与圧部４および第二与圧部４’のなす角をθoに復元する力Ｆ１、Ｆ２が、第一与圧部４および第二与圧部４’のなす角を広げようとする（図５参照）。
【００４３】
しかし、第一支点部分４ｂおよび第二支点部分４’ｂがファン固定具支点用突起１６の穴に引っ掛って止まる。すなわち、第一支点部分４ｂおよび第二支点部分４’ｂが固定面１２に対して固定される。そこで、第一与圧部４および第二与圧部４’のなす角をθoに復元する力は、第一支点部分４ｂおよび第二支点部分４’ｂよりも固定面１２から遠い第一接続部分４ａ、第二接続部分４’ａおよびファン接触部２を固定面１２へ引き付ける力Ｆとなる（図５参照）。すなわち、第一与圧部４および第二与圧部４’のなす角をθoに復元する力は、第一与圧部４および第二与圧部４’によって、ファン接触部２を固定面１２へ引き付ける力Ｆに変換される。この力Ｆは、ファン接触部２を固定面１２へ引き付けて、第一与圧部４および第二与圧部４’のなす角を広げるように作用する力である。
【００４４】
ファン接触部２の直線状接触部２ｂは、ファンケース２４に接触している（図４、６参照）。よって、ファン接触部２を固定面１２へ引き付ける力Ｆによって、ファン２０が固定面１２へ向かう圧力がかけられる。よって、ファン２０が固定面１２に固定される。なお、第一与圧部４および第二与圧部４’のなす角はθoよりも小さいθにとどまる（図５参照）。よって、ファン接触部２を固定面１２へ引き付ける力Ｆが、第一与圧部４および第二与圧部４’の先端の押圧を止めた後でも持続して働き続ける。
【００４５】
本発明の実施形態によれば、第一与圧部４および第二与圧部４’によって、ファン接触部２を固定面１２へ引き付ける力Ｆを働かせて、ファン接触部２に接触するファン２０を固定面１２に固定する。よって、ボルトおよびナットを４組（ファン２０の四隅にはめる）使用してファン２０を固定面１２に固定する場合よりも、材料費を削減できる。
【００４６】
また、遠隔部２ａが直線状接触部２ｂを延長した場合よりもファン２０から遠ざかるように羽根収容孔２３を横断している。このため、羽根収容孔２３を流れる風を、ファン接触部２が切るために発する風切り音を小さくすることができる。なお、ファン固定具１をヒシチューブ、ビニールチューブなどにより被覆して、ファン固定具１の振動を抑えるようにするとなおよい。
【００４７】
しかも、第一支点部分４ｂおよび第二支点部分４’ｂが、第一接続部分４ａおよび第二接続部分４’ａよりも固定面１２に近いため、ファン２０よりもさらに固定面１２から遠ざかる側（図１において、ファン２０よりも手前側）にさほどスペースが無くてもファン２０の固定が可能である。一方、従来技術のようにファン２０をネジで固定面１２に固定する場合、ファン２０よりも手前側にネジを配置してからネジを回して固定するため、ファン２０よりも手前側にネジの長さの分のスペースが必要である。よって、外壁１０の内部にある、電子回路等を配置したプリント基板の大きさが、ネジの長さの分のスペースだけ制限されてしまう。しかし、本発明の実施形態によれば、ファン２０の厚みの分だけ外壁１０の内部にスペースがあればよいので、プリント基板の大きさがあまり制限されず、設計の自由度が向上する。
【００４８】
なお、第一支点部分４ｂおよび第二支点部分４’ｂが面Ｍの上下に分かれ、第一与圧部４および第二与圧部４’の間にファン２０が挟まれている配置が、ファン２０の振動抑制の点も含めて、最も効率的にファン２０を固定できる。
【００４９】
また、第一与圧部４および第二与圧部４’の先端を押圧して、ファン固定具支点用突起１６の穴に通してから、押圧を止めれば、ファン２０を固定面１２に固定できるので、取付け工数を削減できる。ドライバなどの工具や治具を特に必要としない。
【００５０】
さらに、ファン２０の着脱が容易になるため（ファン２０を外す場合は、第一与圧部４および第二与圧部４’の先端を押圧して、ファン固定具支点用突起１６の穴から外せばよい）、ファン２０の保守点検が容易に行える。
【００５１】
なお、図７は変形例１にかかるファン固定具１およびファン２０の平面断面図である。ただし、図７において、第一与圧部４および第二与圧部４’の先端付近は図示省略する。変形例１においては、ファン接触部２’を直線状にしたことが上記の実施形態と異なる。変形例１のようにしても、ファン２０を容易に固定面１２に固定できるが、風切り音の抑制という点では不利である。
【００５２】
また、図８は変形例２にかかるファン固定具１およびファン２０の平面図である。変形例２においては、ファン２０が横に二つ並んでおり、第一与圧部４および第二与圧部４’の間に二つのファン２０が配置されている点が上記の実施形態と異なる。なお、変形例２においては、直線状接触部２ｂは３本あり、端の２本は上記の実施形態と同じであるが、真中の１本が二つのファン２０の間に配置されることは上記の実施形態と異なる。このようにすれば、複数のファン２０の固定もまた可能である。
【図面の簡単な説明】
【００５３】
【図１】本発明の実施形態にかかるファン固定具１、外壁１０およびファン２０の斜視図である。
【図２】ファン２０の構成を示す図である。
【図３】ファン固定具１の平面図（図３（ａ））、正面図（図３（ｂ））、側面図（図３（ｃ））である。
【図４】ファン２０が固定面１２に押しつけられた状態の斜視図である。
【図５】ファン２０が固定面１２に押しつけられた状態の側面図である。
【図６】ファン２０が固定面１２に押しつけられた状態の平面断面図である。
【図７】変形例１にかかるファン固定具１およびファン２０の平面断面図である。
【図８】変形例２にかかるファン固定具１およびファン２０の平面図である。
【符号の説明】
【００５４】
１  ファン固定具
２  ファン接触部
２ａ  遠隔部
２ｂ  直線状接触部
４  第一与圧部
４ａ  第一接続部分
４ｂ  第一支点部分
４’  第二与圧部
４’ａ  第二接続部分
４’ｂ  第二支点部分
１２  固定面
１６  ファン固定具支点用突起
２０  ファン
２２  モータ部
２３  羽根収容孔
２４  ファンケース
【図１】
2006144599.tif 000003
【図２】
2006144599.tif 000004
【図３】
2006144599.tif 000005
【図４】
2006144599.tif 000006
【図５】
2006144599.tif 000007
【図６】
2006144599.tif 000008
【図７】
2006144599.tif 000009
【図８】
2006144599.tif 000010